(57)【要約】【課題】住宅やオフィスにおける環境を簡単かつ正確に測定すること。【解決手段】環境モニタリング装置１は、ＣＯ2センサ２２およびＯ2センサ２３を備えた環境測定用ＵＳＢモジュール２０によって、自装置周辺の空気における二酸化炭素濃度および酸素濃度を測定する。そして、測定した二酸化炭素濃度および酸素濃度を環境データベースに格納し、格納されているデータを基に、二酸化炭素濃度および酸素濃度の状態を表示する。そのため、利用者個人の作業環境における二酸化炭素濃度および酸素濃度を高い正確性をもって測定することができる。また、環境測定用モジュール２０をＰＣのＵＳＢインターフェース１７に接続することで構成することが可能なため、簡単に二酸化炭素濃度および酸素濃度の測定を行うことができる。したがって、住宅やオフィスにおける環境を簡単かつ正確に測定することが可能となる。【選択図】図１
2009145059.tif 000002
【特許請求の範囲】
【請求項１】
周辺環境における二酸化炭素あるいは酸素の少なくともいずれかを測定する環境モニタリング装置であって、
二酸化炭素あるいは酸素の少なくともいずれかを測定するセンサを備えた環境センサモジュールと、
前記環境センサモジュールによって測定された二酸化炭素あるいは酸素に関する測定データを処理する情報処理装置とを含み、
前記環境センサモジュールと前記情報処理装置とは、所定の接続インターフェースによって接続可能であり、
前記情報処理装置は、
前記接続インターフェースによって接続された前記環境センサモジュールにおける前記センサの測定データを取得する測定データ取得手段と、
前記測定データ取得手段によって取得された測定データを格納する環境データベースと、
前記環境データベースに格納された測定データを基に、自装置周辺における二酸化炭素あるいは酸素の状態を表示する環境データ表示手段とを備えることを特徴とする環境モニタリング装置。
【請求項２】
前記環境データベースは、前記測定データ取得手段によって取得された測定データを測定時間と対応付けて格納し、
前記環境データ表示手段は、前記環境データベースに格納された測定データおよび前記測定時間を基に、自装置周辺における二酸化炭素あるいは酸素の状態を時間と対応付けて表示することを特徴とする請求項１記載の環境モニタリング装置。
【請求項３】
前記環境センサモジュールは、自装置の位置を測定する位置測定手段を備え、
前記情報処理装置において、
前記測定データ取得手段は、前記位置測定手段によって測定された位置を前記測定データと共に前記環境センサモジュールから取得し、
前記環境データベースは、前記測定データ取得手段によって取得された測定データを前記位置測定手段によって測定された位置と対応付けて格納し、
前記環境データ表示手段は、前記環境データベースに格納された測定データおよび位置を基に、自装置周辺における二酸化炭素あるいは酸素の状態を測定位置と対応付けて表示することを特徴とする請求項１または２記載の環境モニタリング装置。
【請求項４】
前記所定の接続インターフェースは、ＵＳＢインターフェースであることを特徴とする請求項１から３のいずれか１項に記載の環境モニタリング装置。
【請求項５】
周辺環境における二酸化炭素あるいは酸素の少なくともいずれかを測定する環境モニタリングシステムであって、
二酸化炭素あるいは酸素の少なくともいずれかを測定するセンサを備えた環境センサモジュールと、
前記環境センサモジュールによって測定された二酸化炭素あるいは酸素に関する測定データを処理する情報処理装置と、
前記情報処理装置とネットワークを介して通信可能に構成されたサーバとを含み、
前記環境センサモジュールと前記情報処理装置とは、所定の接続インターフェースによって接続可能であり、
前記情報処理装置は、
前記接続インターフェースによって接続された前記環境センサモジュールにおける前記センサの測定データを取得する測定データ取得手段と、
前記測定データ取得手段によって取得された測定データを格納する環境データベースとを備え、
前記サーバは、
前記ネットワークを介して接続された前記情報処理装置から前記測定データを取得する測定データ収集手段と、
前記測定データ収集手段によって収集された測定データを基に、前記ネットワークに接続された前記情報処理装置の設置位置における二酸化炭素あるいは酸素の状態を地図上に表示するための表示データを生成する表示データ生成手段とを備えることを特徴とする環境モニタリングシステム。
【請求項６】
前記所定の接続インターフェースは、ＵＳＢインターフェースであることを特徴とする請求項５記載の環境モニタリングシステム。
【請求項７】
周辺環境における二酸化炭素あるいは酸素の少なくともいずれかを測定する環境モニタリングシステムにおけるサーバであって、
前記環境モニタリングシステムには、ネットワークを介して通信可能に構成された情報処理装置が含まれ、該情報処理装置は、二酸化炭素あるいは酸素の少なくともいずれかを測定するセンサを備えた環境センサモジュールと所定の接続インターフェースによって接続可能であると共に、前記接続インターフェースによって接続された前記環境センサモジュールにおける前記センサの測定データを取得する測定データ取得手段と、前記測定データ取得手段によって取得された測定データを格納する環境データベースとを備え、
前記サーバは、
前記ネットワークを介して接続された前記情報処理装置から前記測定データを取得する測定データ収集手段と、
前記測定データ収集手段によって収集された測定データを基に、前記ネットワークに接続された前記情報処理装置の設置位置における二酸化炭素あるいは酸素の状態を地図上に表示するための表示データを生成する表示データ生成手段とを備えることを特徴とするサーバ。
【請求項８】
周辺環境における二酸化炭素あるいは酸素の少なくともいずれかを測定するための環境センサモジュールであって、
二酸化炭素あるいは酸素の少なくともいずれかを測定するセンサと、
情報処理装置と接続するための所定の接続インターフェースとを備え、
前記センサによって測定されたデータを該接続インターフェースを介して情報処理装置に提供することを特徴とする環境センサモジュール。
【請求項９】
前記所定の接続インターフェースは、ＵＳＢインターフェースであることを特徴とする請求項８記載の環境センサモジュール。
【発明の詳細な説明】
【技術分野】
【０００１】
本発明は、周辺環境を測定するための環境モニタリング装置、環境モニタリングシステム、サーバおよび環境センサモジュールに関する。
【背景技術】
【０００２】
近年、住宅やオフィスにおける環境を快適なものとすることに対し、高い関心が集まっている。
例えば、住宅やオフィスにおける空気の状態は、それを呼吸する人体に大きな影響を及ぼし、作業者の周辺環境を決定付ける大きな要因となる。
ここで、住宅やオフィス周辺における空気の状態を測定する技術として、特許文献１に記載されたものが知られている。
【０００３】
特許文献１に記載された技術は、監視対象地域内に、大気汚染物質を測定する複数のセンサを分散配置し、センサの測定結果をデータ解析して、自然環境の監視を行うこととしている。
【特許文献１】特開平１１−２８１７５７号公報
【発明の開示】
【発明が解決しようとする課題】
【０００４】
しかしながら、特許文献１に記載された技術は、センサやそれによって測定されたデータを収集するネットワークを新たに構築する必要があり、環境を測定するために高いコストを要する。
また、住宅やオフィスがセンサの設置箇所から離れている場合には、その住宅やオフィスの環境を正確に測定することが困難である。
このように、従来の技術においては、住宅やオフィスにおける環境を簡単かつ正確に測定することが困難であった。
本発明の課題は、住宅やオフィスにおける環境を簡単かつ正確に測定することである。
【課題を解決するための手段】
【０００５】
以上の課題を解決するため、第１の発明は、
周辺環境における二酸化炭素あるいは酸素の少なくともいずれかを測定する環境モニタリング装置であって、二酸化炭素あるいは酸素の少なくともいずれかを測定するセンサ（例えば、図１のＣＯ2センサ２２あるいはＯ2センサ２３）を備えた環境センサモジュール（例えば、図１の環境測定用ＵＳＢモジュール２０）と、前記環境センサモジュールによって測定された二酸化炭素あるいは酸素に関する測定データを処理する情報処理装置（例えば、図１のＰＣ本体１０）とを含み、前記環境センサモジュールと前記情報処理装置とは、所定の接続インターフェース（例えば、ＵＳＢに基づくインターフェース）によって接続可能であり、前記情報処理装置は、前記接続インターフェースによって接続された前記環境センサモジュールにおける前記センサの測定データを取得する測定データ取得手段（例えば、図３のステップＳ１，Ｓ２を実行するＣＰＵ１２）と、前記測定データ取得手段によって取得された測定データを格納する環境データベース（例えば、図２の記憶装置１３）と、前記環境データベースに格納された測定データを基に、自装置周辺における二酸化炭素あるいは酸素の状態を表示する環境データ表示手段（例えば、図３のステップＳ５〜Ｓ７を実行するＣＰＵ１２）とを備えることを特徴としている。
【０００６】
このような構成により、環境モニタリング装置の利用者にごく近い位置における二酸化炭素および酸素の状態を測定することができる。
したがって、利用者個人の作業環境における二酸化炭素濃度および酸素濃度を高い正確性をもって測定することができる。
また、環境センサモジュールを情報処理装置の接続インターフェースを介して接続することで環境モニタリング装置を構成することが可能なため、簡単に二酸化炭素および酸素の測定を行うことができる。
即ち、本発明によれば、住宅やオフィスにおける環境を簡単かつ正確に測定することが可能となる。
【０００７】
また、第２の発明は、
前記環境データベースは、前記測定データ取得手段によって取得された測定データを測定時間と対応付けて格納し、前記環境データ表示手段は、前記環境データベースに格納された測定データおよび前記測定時間を基に、自装置周辺における二酸化炭素あるいは酸素の状態を時間と対応付けて表示することを特徴としている。
このような構成により、自装置周辺における二酸化炭素あるいは酸素の時間変化を表示できるため、環境の変化をより効果的に示すことができる。
【０００８】
また、第３の発明は、
前記環境センサモジュールは、自装置の位置を測定する位置測定手段（例えば、図１のＧＰＳ受信部２１）を備え、前記情報処理装置において、前記測定データ取得手段は、前記位置測定手段によって測定された位置を前記測定データと共に前記環境センサモジュールから取得し、前記環境データベースは、前記測定データ取得手段によって取得された測定データを前記位置測定手段によって測定された位置と対応付けて格納し、前記環境データ表示手段は、前記環境データベースに格納された測定データおよび位置を基に、自装置周辺における二酸化炭素あるいは酸素の状態を測定位置と対応付けて表示することを特徴としている。
このような構成により、二酸化炭素あるいは酸素の測定を行った位置と測定データとの対応を示すことができるため、自装置周辺の環境をより正確に示すことができる。
【０００９】
また、第４の発明は、
前記所定の接続インターフェースは、ＵＳＢインターフェースであることを特徴としている。
このような構成により、環境センサモジュールをＵＳＢインターフェースに接続可能なモジュール（小型のスティック状モジュール等）とすることができるため、より簡単に二酸化炭素あるいは酸素の測定を行うことが可能となる。
【００１０】
また、第５の発明は、
周辺環境における二酸化炭素あるいは酸素の少なくともいずれかを測定する環境モニタリングシステムであって、二酸化炭素あるいは酸素の少なくともいずれかを測定するセンサを備えた環境センサモジュール（例えば、図１の環境測定用ＵＳＢモジュール２０）と、前記環境センサモジュールによって測定された二酸化炭素あるいは酸素に関する測定データを処理する情報処理装置（例えば、図１のＰＣ本体１０）と、前記情報処理装置とネットワークを介して通信可能に構成されたサーバ（例えば、図５の環境モニタリングサーバ１００）とを含み、前記環境センサモジュールと前記情報処理装置とは、所定の接続インターフェース（例えば、ＵＳＢに基づくインターフェース）によって接続可能であり、前記情報処理装置は、前記接続インターフェースによって接続された前記環境センサモジュールにおける前記センサの測定データを取得する測定データ取得手段（例えば、図３のステップＳ１，Ｓ２を実行するＣＰＵ１２）と、前記測定データ取得手段によって取得された測定データを格納する環境データベース（例えば、図２の記憶装置１３）とを備え、前記サーバは、前記ネットワークを介して接続された前記情報処理装置から前記測定データを取得する測定データ収集手段（例えば、図７のステップＳ１０２を実行するＣＰＵ１２０）と、前記測定データ収集手段によって収集された測定データを基に、前記ネットワークに接続された前記情報処理装置の設置位置における二酸化炭素あるいは酸素の状態を地図上に表示するための表示データを生成する表示データ生成手段（例えば、図７のステップＳ１０３〜Ｓ１０７を実行するＣＰＵ１２０）とを備えることを特徴としている。
【００１１】
このような構成により、各環境モニタリング装置において測定されたデータを、サーバおいて集計し、集計したデータを基に、二酸化炭素あるいは酸素の状態について、地理的分布を示すマップが作成される。
したがって、各場所における二酸化炭素あるいは酸素の状態を、他の場所における状態と関連付けて表示すること等ができるため、その場所における環境の傾向をより適確に把握することができ、住宅やオフィスにおける環境を簡単かつより正確に測定することが可能となる。
なお、表示データ生成手段によって生成された表示データは、サーバおよび各環境モニタリング装置のいずれにおいて表示することとしても良い。
また、第６の発明は、
前記所定の接続インターフェースは、ＵＳＢインターフェースであることを特徴としている。
【００１２】
また、第７の発明は、
周辺環境における二酸化炭素あるいは酸素の少なくともいずれかを測定する環境モニタリングシステムにおけるサーバであって、前記環境モニタリングシステムには、ネットワークを介して通信可能に構成された情報処理装置が含まれ、該情報処理装置は、二酸化炭素あるいは酸素の少なくともいずれかを測定するセンサを備えた環境センサモジュールと所定の接続インターフェースによって接続可能であると共に、前記接続インターフェースによって接続された前記環境センサモジュールにおける前記センサの測定データを取得する測定データ取得手段と、前記測定データ取得手段によって取得された測定データを格納する環境データベースとを備え、前記サーバは、前記ネットワークを介して接続された前記情報処理装置から前記測定データを取得する測定データ収集手段と、前記測定データ収集手段によって収集された測定データを基に、前記ネットワークに接続された前記情報処理装置の設置位置における二酸化炭素あるいは酸素の状態を地図上に表示するための表示データを生成する表示データ生成手段とを備えることを特徴としている。
【００１３】
このような構成により、各環境モニタリング装置において測定されたデータを、サーバおいて集計し、集計したデータを基に、二酸化炭素あるいは酸素の状態について、地理的分布を示すマップが作成される。
したがって、各場所における二酸化炭素あるいは酸素の状態を、他の場所における状態と関連付けて表示すること等ができるため、その場所における環境の傾向をより適確に把握することができ、住宅やオフィスにおける環境を簡単かつより正確に測定することが可能となる。
【００１４】
また、第８の発明は、
周辺環境における二酸化炭素あるいは酸素の少なくともいずれかを測定するための環境センサモジュールであって、二酸化炭素あるいは酸素の少なくともいずれかを測定するセンサ（例えば、図１のＣＯ2センサ２２あるいはＯ2センサ２３）と、情報処理装置と接続するための所定の接続インターフェース（例えば、ＵＳＢに基づくインターフェース）とを備え、前記センサによって測定されたデータを該接続インターフェースを介して情報処理装置に提供することを特徴としている。
【００１５】
このような構成により、所定の接続インターフェースによって情報処理装置と接続することで、二酸化炭素あるいは酸素の測定データを提供可能なセンサを構成することができ、簡単に二酸化炭素および酸素の測定を行うことが可能になると共に、利用者にごく近い位置における二酸化炭素および酸素の状態を測定することができるため、利用者個人の作業環境における二酸化炭素あるいは酸素の状態を正確に測定することができる。
【００１６】
また、第９の発明は、
前記所定の接続インターフェースは、ＵＳＢインターフェースであることを特徴としている。
即ち、本発明によれば、住宅やオフィスにおける環境を簡単かつ正確に測定することが可能となる。
【発明を実施するための最良の形態】
【００１７】
以下、図を参照して本発明の実施の形態を説明する。
（第１実施形態）
（構成）
まず、構成を説明する。
図１は、本実施形態に係る環境モニタリング装置１の構成を示す図である。
【００１８】
図１において、環境モニタリング装置１は、ＰＣ（Personal Computer）本体１０と、環境測定用ＵＳＢ（Universal Serial Bus）モジュール２０とを備えている。
ＰＣ本体１０は、環境測定用ＵＳＢモジュール２０によって測定されたデータ（以下、「環境データ」という。）を取得し、その環境データを処理して、ＰＣ本体１０の周辺環境を利用者に提示する機能を有している。
【００１９】
図２は、ＰＣ本体１０の機能構成を示すブロック図である。
図２において、ＰＣ本体１０は、入力装置１１と、ＣＰＵ（Central Processing Unit）１２と、記憶装置１３と、メモリ１４と、表示装置１５と、通信装置１６と、ＵＳＢインターフェース１７とを備えている。
入力装置１１は、カーソルキーや数字入力キー等を備えたキーボード及びマウス等のポインティングデバイスによって構成され、キーボードにおいて押下されたキーの押下信号やマウスの位置信号をＣＰＵ１２に出力する。
【００２０】
ＣＰＵ１２は、環境モニタリング装置１全体を制御するもので、入力装置１１から入力される各種の指示信号に従って、記憶装置１３に記憶された各種処理に関するプログラムを読み出して実行する。例えば、ＣＰＵ１２は、記憶装置１３に記憶された環境モニタリング処理プログラムを読み出し、環境モニタリング処理（後述）を実行する。
そして、ＣＰＵ１２は、各種プログラム等を実行した処理結果を記憶装置１３やメモリ１４の所定の領域に格納したり、表示装置１５に表示させたりする。
【００２１】
記憶装置１３は、ハードディスク等の不揮発性の記憶装置で構成される。この記憶装置１３は、環境モニタリング処理プログラムや、環境モニタリング装置１の制御のための各種処理に関するプログラムおよびデータを記憶する。また、記憶装置１３は、環境モニタリング処理において測定された二酸化炭素濃度および酸素濃度のデータを格納する環境データベースを記憶している。
【００２２】
メモリ１４は、ＣＰＵ１２により実行される各種処理において生成されたデータを一時的に記憶する。
表示装置１５は、例えばドットマトリクスタイプのカラー液晶表示セル等から構成され、ＣＰＵ１２の指示に従って各種情報を表示する。
通信装置１６は、無線あるいは有線のＬＡＮ（Local Area Network）等、他の装置と通信を行うための通信インターフェースである。
【００２３】
ＵＳＢインターフェース１７は、ＵＳＢ端子を有する機器との接続インターフェースであり、本実施形態においては、このＵＳＢインターフェース１７に環境測定用ＵＳＢモジュール２０が接続される。
図１に戻り、環境測定用ＵＳＢモジュール２０は、ＧＰＳ（Global Positioning System）受信部２１と、ＣＯ2センサ２２と、Ｏ2センサ２３と、ＵＳＢコネクタ２４とを備えている。
【００２４】
ＧＰＳ受信部２１は、ＧＰＳ衛星から送信されるＧＰＳ信号を受信し、現在位置を算出する。
ＣＯ2センサ２２は、例えば固体電解質型あるいはＮＤＩＲ（非分散型赤外線吸収法）方式等のＣＯ2センサであり、環境測定用ＵＳＢモジュール２０周辺の空気における二酸化炭素濃度を測定する。
Ｏ2センサ２３は、例えば固体電解質型、限界電流型あるいはガルバニ電池式等のＯ2センサであり、環境測定用ＵＳＢモジュール２０周辺の空気における酸素濃度を測定する。
【００２５】
ＵＳＢコネクタ２４は、ＵＳＢ規格に基づくデータ伝送を行うコネクタである。このＵＳＢコネクタ２４がＰＣ本体１０のＵＳＢインターフェース１７に接続されると、環境測定用ＵＳＢモジュール２０はＰＣ本体１０からの電力供給を受けることが可能となり、また、環境測定用ＵＳＢモジュール２０において測定した二酸化炭素濃度や酸素濃度、あるいは、ＧＰＳに基づく現在位置データ等の環境データをＰＣ本体１０に送信することが可能となる。
なお、ここでは、ＣＯ2センサ２２およびＯ2センサ２３が濃度を測定するセンサであるものとして説明するが、濃度と置換可能な他のパラメータ（分圧等）を測定するものとしても良い。
【００２６】
（動作）
次に、動作を説明する。
図３は、環境モニタリング装置１のＣＰＵ１２が実行する環境モニタリング処理を示すフローチャートである。
環境モニタリング処理は、環境測定用ＵＳＢモジュール２０がＰＣ本体１０に接続された状態で、環境モニタリング処理の実行が指示入力されることに対応して開始される。
図３において、環境モニタリング処理が開始されると、ＣＰＵ１２は、環境測定用ＵＳＢユニット２０からＣＯ2センサ２２の測定データを受信し（ステップＳ１）、さらに、Ｏ2センサ２３の測定データを受信する（ステップＳ２）。
【００２７】
次に、ＣＰＵ１２は、環境測定用ＵＳＢユニット２０からＧＰＳ受信部２１によって測定された現在位置データを受信する（ステップＳ３）。
そして、ＣＰＵ１２は、ステップＳ１〜Ｓ３において受信した測定データ（二酸化炭素濃度、酸素濃度および現在位置のデータ）を、現在時刻ｔと対応付けて、環境データベースに格納する（ステップＳ４）。
【００２８】
さらに、ＣＰＵ１２は、環境データベースにおける設定された時間範囲内のデータ（例えば、当日、１時間あるいは３０分以内のデータ）を読み出し（ステップＳ５）、現在位置および時間と対応付けた二酸化炭素濃度および酸素濃度のグラフを作成する（ステップＳ６）。
続いて、ＣＰＵ１２は、作成したグラフを表示装置１５に表示し（ステップＳ７）、環境モニタリング処理の終了が指示入力されたか否かの判定を行う（ステップＳ８）。
【００２９】
ステップＳ８において、環境モニタリング処理の終了が指示入力されていないと判定した場合、ＣＰＵ１２は、ステップＳ１の処理に移行し、環境モニタリング処理の終了が指示入力されたと判定した場合、環境モニタリング処理を終了する。
環境モニタリング処理が実行されることにより、ＰＣ本体１０において、周辺の空気における二酸化炭素濃度および酸素濃度の状態が表示される。
【００３０】
図４は、環境モニタリング処理において表示される二酸化炭素濃度および酸素濃度のグラフの一例を示す図である。
図４においては、特定の位置（位置Ｐ）における二酸化炭素濃度および酸素濃度の時間変化が表されている。
図４に示すグラフでは、オフィスにおける会議時間の開始と共に二酸化炭素濃度が上昇し、酸素濃度が減少している。これは、密閉された会議室内に多くの人間が集まったためであり、会議の終了と共に二酸化炭素濃度は減少し、酸素濃度が上昇している。
【００３１】
したがって、環境モニタリング処理において表示されるグラフを参照することにより、環境モニタリング装置１のユーザは、会議室の空気を入れ替える等、環境を整える対応を取ることができる。
なお、環境モニタリング処理におけるグラフ表示では、二酸化炭素濃度および酸素濃度の測定位置が変化した場合、変化前後の測定位置が併せて表示される。
【００３２】
以上のように、本実施形態に係る環境モニタリング装置１は、ＣＯ2センサ２２およびＯ2センサ２３を備えた環境測定用ＵＳＢモジュール２０によって、自装置周辺の空気における二酸化炭素濃度および酸素濃度を測定する。そして、環境モニタリング装置１は、測定した二酸化炭素濃度および酸素濃度を環境データベースに格納し、格納されているデータを基に、二酸化炭素濃度および酸素濃度の状態を表示する。
【００３３】
そのため、環境モニタリング装置１の利用者にごく近い位置における二酸化炭素濃度および酸素濃度を、利用者が環境モニタリング装置１において作業を行っている間、継続的に測定することができる。
したがって、利用者個人の作業環境における二酸化炭素濃度および酸素濃度を高い正確性をもって測定することができる。
【００３４】
また、環境モニタリング装置１は、環境測定用モジュール２０をＰＣのＵＳＢインターフェース１７に接続することで構成することが可能なため、簡単に二酸化炭素濃度および酸素濃度の測定を行うことができる。
即ち、本実施形態に係る環境モニタリング装置１によれば、住宅やオフィスにおける環境を簡単かつ正確に測定することが可能となる。
【００３５】
なお、本実施形態に係る環境モニタリング装置１を住宅あるいはオフィスにおいて使用することにより、利用者は、自らの周辺における二酸化炭素濃度や酸素濃度の変化をリアリティをもって感じることができるため、環境への意識、省エネルギーへの意欲を高めることができる。
これは、京都議定書による温室効果ガス削減目標の設定等、社会的な環境問題への取り組みに対し、個人による貢献を高める効果を有するものである。
【００３６】
（第２実施形態）
次に、本発明の第２実施形態について説明する。
本実施形態においては、異なる場所に設置された第１実施形態の環境モニタリング装置１を、ネットワークを介してサーバに接続し、各場所における二酸化炭素濃度および酸素濃度を関連付けて表示する環境モニタリングシステムについて説明する。
このような形態とすることで、各場所における二酸化炭素濃度および酸素濃度を、他の場所における状態と関連付けて表示すること等ができるため、その場所における環境の傾向をより適確に把握することができ、住宅やオフィスにおける環境を簡単かつより正確に測定することが可能となる。
【００３７】
（構成）
まず、構成を説明する。
図５は、本実施形態に係る環境モニタリングシステム２の構成を示す図である。
図５において、環境モニタリングシステム２は、複数の環境モニタリング装置１と、環境モニタリングサーバ１００とを備えており、複数の環境モニタリング装置１と環境モニタリングサーバ１００とは、ネットワーク２００を介して通信可能に構成されている。
環境モニタリング装置１は、第１実施形態において説明した環境モニタリング装置１と同様の構成であり、常時、環境モニタリング処理を実行している。
【００３８】
そして、環境モニタリングサーバ１００が、各環境モニタリング装置１の環境測定用ＵＳＢモジュール２０において測定された環境データ（二酸化炭素濃度、酸素濃度、現在位置のデータ）の送信を要求すると、環境モニタリング装置１は、自装置の環境データベースに格納されているデータを測定時間のデータと共に読み出し、読み出したデータを通信装置１６を介して環境モニタリングサーバ１００に送信する。
環境モニタリングサーバ１００は、ネットワーク２００に接続された複数の環境モニタリング装置１において測定されたデータを収集して解析し、各環境モニタリング装置１の設置場所と対応付けて、それらのデータを表示したり、解析結果を各環境モニタリング装置１に送信したりする機能を有している。
【００３９】
図６は、環境モニタリングサーバ１００の機能構成を示すブロック図である。
図６において、環境モニタリングサーバ１００は、入力装置１１０と、ＣＰＵ１２０と、記憶装置１３０と、メモリ１４０と、表示装置１５０と、通信装置１６０とを備えている。
ここで、図６における入力装置１１０、メモリ１４０、表示装置１５０および通信装置１６０の構成は、図２における環境モニタリング装置１の入力装置１１、メモリ１４、表示装置１５および通信装置１６と同様である。
【００４０】
ＣＰＵ１２０は、環境モニタリングサーバ１００全体を制御するもので、入力装置１１０から入力される各種の指示信号に従って、記憶装置１３０に記憶された各種処理に関するプログラムを読み出して実行する。例えば、ＣＰＵ１２０は、記憶装置１３０に記憶された環境データ解析処理プログラムを読み出し、環境データ解析処理（後述）を実行する。
【００４１】
そして、ＣＰＵ１２０は、各種プログラム等を実行した処理結果を記憶装置１３０やメモリ１４０の所定の領域に格納したり、表示装置１５０に表示させたりする。
記憶装置１３０は、ハードディスク等の不揮発性の記憶装置で構成される。この記憶装置１３０は、環境データ解析処理プログラムや、環境モニタリングサーバ１００の制御のための各種処理に関するプログラムおよびデータを記憶する。
【００４２】
また、記憶装置１３０は、各環境モニタリング装置１から取得した環境データを集計したデータを格納する統合データベースを記憶している。
ネットワーク２００は、無線あるいは有線のＬＡＮやインターネット等、環境モニタリング装置１と環境モニタリングサーバ１００との間において授受されるデータを送受信可能な各種ネットワークによって構成される。
【００４３】
（動作）
次に、動作を説明する。
図７は、環境モニタリングサーバ１００のＣＰＵ１２０が実行する環境データ解析処理を示すフローチャートである。
環境データ解析処理は、環境モニタリングサーバ１００において、環境データ解析処理の実行が指示入力されることに対応して開始される。
図７において、環境データ解析処理が開始されると、ＣＰＵ１２０は、ネットワーク２００を介して環境モニタリングサーバ１００に接続されている環境モニタリング装置１を検出する（ステップＳ１０１）。
【００４４】
このとき、例えば、環境モニタリングサーバ１００がネットワーク２００を介して、環境モニタリング装置１を検出するための同報送信を行い、それに応答した環境モニタリング装置１の現在位置およびＭＡＣアドレス等の端末ＩＤを認識することにより、環境モニタリング装置１の接続状況を検出することができる。
次に、ＣＰＵ１２０は、各環境モニタリング装置１から環境測定用ＵＳＢモジュール２０において測定されたデータ（二酸化炭素濃度、酸素濃度、現在位置のデータおよびそれらの測定時間のデータ）を取得する（ステップＳ１０２）。
そして、ＣＰＵ１２０は、各環境モニタリング装置１から取得したデータを集計する（ステップＳ１０３）。
このとき、ＣＰＵ１２０は、測定時間毎の各場所における二酸化炭素濃度および酸素濃度が一覧となった表形式の集計データを作成する。
【００４５】
図８は、ステップＳ１０３において作成された集計データを示す図である。
図８においては、各環境モニタリング装置１から取得したデータが、測定時間順に、各場所（Ａ〜Ｃ地点）の位置（緯度および経度）、ＣＯ2濃度およびＯ2濃度と対応付けた状態とされている。
ステップＳＳ１０３の後、ＣＰＵ１２０は、ステップＳ１０３において作成した集計データを統合データベースに格納する（ステップＳ１０４）。
【００４６】
そして、ＣＰＵ１２０は、統合データベースから特定時間のデータ（例えば、直近３０分のデータあるいは最新のデータ）を抽出し、それらのデータを基に、二酸化炭素濃度および酸素濃度の地理的分布を示すマップデータ（以下、「環境ＧＩＳデータ」という。）を作成する（ステップＳ１０５）。
そして、ＣＰＵ１２０は、作成した環境ＧＩＳデータを表示し（ステップＳ１０６）、環境データ解析処理を繰り返す。
ここで、環境データ解析処理のステップＳ１０６において表示される環境ＧＩＳデータの表示画面について説明する。
【００４７】
図９は、環境ＧＩＳデータの表示画面例を示す図である。
なお、図９においては、二酸化炭素濃度を地図上に表した場合を例として示している。
また、図１０は、図９に示す表示画面例において、環境モニタリング装置１が設置された場所を示す図である。
図９および図１０において、環境モニタリング装置１は、Ａ〜Ｃ地点に設置されており、これらの環境モニタリング装置１によって測定されたデータが、環境モニタリングサーバ１００に集計される。
そして、環境モニタリングサーバ１００が、環境データ解析処理のステップＳ１０６において、図９に示すように特定時間の二酸化炭素濃度を地図上に表したマップを表示する。
【００４８】
図９においては、Ａ〜Ｃ地点それぞれの近傍が同一の二酸化炭素濃度の領域として識別表示されており、地図外側部分において、各領域を識別する網掛けそれぞれの二酸化炭素濃度および測定時間が表示されている。
なお、図９に示す環境ＧＩＳの表示画面例では、二酸化炭素濃度を測定した場所（Ａ〜Ｃ地点）付近を同一の二酸化炭素濃度の領域として識別表示したが、複数地点の二酸化炭素濃度あるいは酸素濃度から、地図上における等濃度線を算出し、算出した等濃度線を地図上に表示することとしても良い。
【００４９】
図１１は、環境ＧＩＳデータを基に算出した等濃度線を地図上に表した場合の表示画面例を示す図である。
また、図１２は、図１１に示す表示画面例において、環境モニタリング装置１が設置された場所を示す図である。
図１１に示すように、二酸化炭素濃度あるいは酸素濃度の等濃度線を算出して表示した場合、環境モニタリング装置１を設置していない場所における二酸化炭素濃度あるいは酸素濃度を判別することができる。
【００５０】
以上のように、本実施形態に係る環境モニタリングシステム２は、異なる場所に設置された複数の環境モニタリング装置１において測定されたデータを、環境モニタリングサーバ１００において集計し、集計したデータを基に、二酸化炭素濃度および酸素濃度の地理的分布を示すマップが作成される。
したがって、各場所における二酸化炭素濃度および酸素濃度を、他の場所における状態と関連付けて表示すること等ができるため、その場所における環境の傾向をより適確に把握することができ、住宅やオフィスにおける環境を簡単かつより正確に測定することが可能となる。
【００５１】
また、二酸化炭素濃度あるいは酸素濃度の等濃度線を算出して表示した場合、環境モニタリング装置１が設置されていない場所でも、周囲の環境モニタリング装置１による測定結果から算出した二酸化炭素濃度あるいは酸素濃度を示すことができるため、利便性を向上させることができる。
なお、本実施形態においては、ＧＰＳを利用して測定した位置を、各環境モニタリング装置１の位置を示すデータとして用いたが、各環境モニタリング装置１の位置を環境モニタリングサーバ１００が予め把握しておき、把握している位置を各環境モニタリング装置１の位置を示すデータとして用いることもできる。
【図面の簡単な説明】
【００５２】
【図１】第１実施形態に係る環境モニタリング装置１の構成を示す図である。
【図２】ＰＣ本体１０の機能構成を示すブロック図である。
【図３】環境モニタリング装置１のＣＰＵ１２が実行する環境モニタリング処理を示すフローチャートである。
【図４】環境モニタリング処理において表示される二酸化炭素濃度および酸素濃度のグラフの一例を示す図である。
【図５】第２実施形態に係る環境モニタリングシステム２の構成を示す図である。
【図６】環境モニタリングサーバ１００の機能構成を示すブロック図である。
【図７】環境モニタリングサーバ１００のＣＰＵ１２０が実行する環境データ解析処理を示すフローチャートである。
【図８】ステップＳ１０３において作成された集計データを示す図である。
【図９】環境ＧＩＳデータの表示画面例を示す図である。
【図１０】環境ＧＩＳデータの表示画面例において、環境モニタリング装置１が設置された場所を示す図である。
【図１１】環境ＧＩＳデータを基に算出した等濃度線を地図上に表した場合の表示画面例を示す図である。
【図１２】等濃度線を地図上に表した場合の表示画面例において、環境モニタリング装置１が設置された場所を示す図である。
【符号の説明】
【００５３】
１  環境モニタリング装置、２  環境モニタリングシステム、１０  ＰＣ本体、１１，１１０  入力装置、１２，１２０  ＣＰＵ、１３，１３０  記憶装置、１４，１４０  メモリ、１５，１５０  表示装置、１６，１６０  通信装置、１７  ＵＳＢインターフェース、２０  環境測定用ＵＳＢモジュール、２１  ＧＰＳ受信部、２２  、ＣＯ2センサ、２３  Ｏ2センサ、２４  ＵＳＢコネクタ、１００  環境モニタリングサーバ、２００  ネットワーク
【図１】
2009145059.tif 000003
【図２】
2009145059.tif 000004
【図３】
2009145059.tif 000005
【図４】
2009145059.tif 000006
【図５】
2009145059.tif 000007
【図６】
2009145059.tif 000008
【図７】
2009145059.tif 000009
【図８】
2009145059.tif 000010
【図９】
2009145059.tif 000011
【図１０】
2009145059.tif 000012
【図１１】
2009145059.tif 000013
【図１２】
2009145059.tif 000014